(57)【要約】【課題】気中絶縁開閉装置の設置スペースの縮小化を図る。【解決手段】実施の形態の気中絶縁開閉装置は、第１〜第３の開閉設備機器及び支持部材を備えている。第１の開閉設備機器は、第１の接続母線に接続されている。第２及び第３の開閉設備機器は、間隔を空けて第１の接続母線とそれぞれ隣り合う第２及び第３の接続母線に各々接続されている。第１の開閉設備機器の露出充電部及び第１の接続母線の設置高さに対して、第２及び第３の開閉設備機器の各露出充電部並びに第２及び第３の接続母線の設置高さを、異ならせるようにしてこれらの開閉設備機器及び接続母線が支持される。【選択図】図１Ｃ
2013171707.tif 000002
【特許請求の範囲】
【請求項１】
第１の接続母線に接続された第１の開閉設備機器と、
予め決められた間隔をあけて前記第１の接続母線とそれぞれ隣り合う第２及び第３の接続母線に各々接続された第２及び第３の開閉設備機器と、
前記第１〜第３の接続母線および前記第１〜第３の開閉設備機器を支持する支持部材と、から構成されるとともに、
前記第１の開閉設備機器の露出充電部及び前記第１の接続母線の設置高さに対して、前記第２及び第３の開閉設備機器の各露出充電部並びに前記第２及び第３の接続母線の設置高さを異ならせるようにしてこれらの開閉設備機器および接続母線が支持されること、
を特徴とする気中絶縁開閉装置。
【請求項２】
前記第１〜第３の開閉設備機器は、遮断器、断路器および変流器として構成されていること、
を特徴とする請求項１記載の気中絶縁開閉装置。
【請求項３】
前記支持部材は、前記第１の接続母線と共に前記第１の開閉設備機器を支持する第１の架台と、前記第２の接続母線と共に前記第２の開閉設備機器を支持する第２の架台と、前記第３の接続母線と共に前記第３の開閉設備機器を支持する第３の架台と、を備えること、
を特徴とする請求項１または２に記載の気中絶縁開閉装置。
【請求項４】
前記第１〜第３の開閉設備機器の各露出充電部どうしの間隔及び各接続母線どうしの間隔を、これらの線間電圧に対応した線間絶縁離隔距離以上に離間させ、かつ当該支持部材本体と各露出充電部との間隔及び当該支持部材本体と各接続母線との間隔を、これらの対地電圧に対応した対地絶縁離隔距離以上に離間させた状態で、これらの開閉設備機器及び接続母線が支持されること、
を特徴とする請求項１ないし３のいずれか１項に記載の気中絶縁開閉装置。
【請求項５】
前記第１の開閉設備機器の露出充電部及び前記第１の接続母線の設置高さに対して、前記第２の開閉設備機器の露出充電部及び前記第２の接続母線の設置高さが相対的に低く、かつ前記第３の開閉設備機器の露出充電部及び前記第３の接続母線の設置高さが相対的に高くなるようにしてこれらの開閉設備機器及び接続母線が支持されること、
を特徴とする請求項１ないし４のいずれか１項に記載の気中絶縁開閉装置。
【請求項６】
前記第１の開閉設備機器の露出充電部及び前記第１の接続母線の設置高さよりも、前記第２及び第３の開閉設備機器の各露出充電部並びに前記第２及び第３の接続母線の設置高さのほうが、相対的に高く又は低くなるようにしてこれらの開閉設備機器及び接続母線が支持されること、
を特徴とする請求項１ないし５のいずれか１項に記載の気中絶縁開閉装置。
【請求項７】
前記第１〜第３の接続母線は、一回線分の三相交流を送電する各相の主母線にそれぞれ接続されること、
を特徴とする請求項１ないし６のいずれか１項に記載の気中絶縁開閉装置。
【請求項８】
第４の接続母線に接続された第４の開閉設備機器と、
予め決められた間隔をあけて前記第４の接続母線と隣り合う第５の接続母線に接続された第５の開閉設備機器と、
予め決められた間隔をあけて前記第３の接続母線及び前記第４の接続母線のそれぞれと隣り合う第６の接続母線に接続された第６の開閉設備機器と、をさらに備え、
前記第４の開閉設備機器の露出充電部及び前記第４の接続母線の設置高さに対して、前記第５及び第６の開閉設備機器の各露出充電部並びに前記第５及び第６の接続母線の設置高さを、異ならせるようにしてこれらの開閉設備機器及び接続母線が支持されること、
を特徴とする請求項１ないし７のいずれか１項に記載の気中絶縁開閉装置。
【請求項９】
前記第３〜第６の開閉設備機器の各露出充電部どうしの間隔及び前記第３〜第６の各接続母線どうしの間隔を、これらの線間電圧に対応した線間絶縁離隔距離以上に離間させ、かつ当該支持部材本体と前記第３〜第６の開閉設備機器の各露出充電部との間隔及び当該支持部材本体と前記第３〜第６の各接続母線との間隔を、これらの対地電圧に対応した対地絶縁離隔距離以上に離間させた状態で、前記第４〜第６の開閉設備機器及び前記第４〜第６の接続母線が支持されること、
を特徴とする請求項８記載の気中絶縁開閉装置。
【請求項１０】
前記第３の開閉設備機器の露出充電部及び前記第３の接続母線の設置高さに対して、前記第６の開閉設備機器の露出充電部及び前記第６の接続母線の設置高さを、異ならせるようにして前記第４〜第６の開閉設備機器及び前記第４〜第６の接続母線が支持されること、
を特徴とする請求項８又は９記載の気中絶縁開閉装置。
【発明の詳細な説明】
【技術分野】
【０００１】
本発明の実施形態は、気中絶縁開閉装置に関する。
【背景技術】
【０００２】
気中絶縁開閉装置は、遮断器や断路器などを含む複数の開閉設備機器から構成されており、発電所や変電所などで利用される。複数の開閉設備機器は、例えば三相交流送電用の主母線と接続される三相の接続導体にそれぞれ介在させた状態で設置される。
【０００３】
この場合、露出した充電部を持つ個々の開閉設備機器や各接続導体は、相間電圧及び対地電圧を考慮した絶縁離隔距離を確保したうえで設置される必要がある。したがって、各開閉設備機器及び各接続導体は、それぞれ水平方向に絶縁離隔距離を空け、この水平な同一平面に沿って広がった形態で設置されることが一般的である。
【先行技術文献】
【特許文献】
【０００４】
【特許文献１】特公平３−６８６０４号公報
【発明の概要】
【発明が解決しようとする課題】
【０００５】
しかしながら、気中絶縁開閉装置における上述した従来の設置形態は、全体的に広い設置スペースが必要となるため、改善が求められている。
【０００６】
そこで、本発明が解決しようとする課題は、設置スペースの縮小化を図ることができる気中絶縁開閉装置を提供することである。
【課題を解決するための手段】
【０００７】
実施の形態の気中絶縁開閉装置は、第１〜第３の開閉設備機器及び支持部材を備えている。第１の開閉設備機器は、第１の接続母線に接続されている。第２及び第３の開閉設備機器は、間隔を空けて第１の接続母線とそれぞれ隣り合う第２及び第３の接続母線に各々接続されている。第１の開閉設備機器の露出充電部及び第１の接続母線の設置高さに対して、第２及び第３の開閉設備機器の各露出充電部並びに第２及び第３の接続母線の設置高さを、異ならせるようにしてこれらの開閉設備機器及び接続母線が支持される。
【図面の簡単な説明】
【０００８】
【図１Ａ】第１の実施形態に係る気中絶縁開閉装置の平面図。
【図１Ｂ】図１Ａに示す気中絶縁開閉装置の正面図。
【図１Ｃ】図１Ｂに示す気中絶縁開閉装置のＡ−Ａ断面図。
【図２Ａ】比較例の気中絶縁開閉装置の平面図。
【図２Ｂ】図２Ａに示す気中絶縁開閉装置の正面図。
【図２Ｃ】図２Ｂに示す気中絶縁開閉装置のＢ−Ｂ断面図。
【図３Ａ】第２の実施形態に係る気中絶縁開閉装置の平面図。
【図３Ｂ】図３Ａに示す気中絶縁開閉装置の正面図。
【図３Ｃ】図３Ｂに示す気中絶縁開閉装置のＣ−Ｃ断面図。
【図４Ａ】第３の実施形態に係る気中絶縁開閉装置の平面図。
【図４Ｂ】図４Ａに示す気中絶縁開閉装置の正面図。
【図４Ｃ】図４Ｂに示す気中絶縁開閉装置のＤ−Ｄ断面図。
【図５Ａ】第４の実施形態に係る気中絶縁開閉装置の平面図。
【図５Ｂ】図５Ａに示す気中絶縁開閉装置のＥ−Ｅ断面図。
【図６】第５の実施形態に係る気中絶縁開閉装置の断面図。
【図７】第６の実施形態に係る気中絶縁開閉装置の断面図。
【図８】第７の実施形態に係る気中絶縁開閉装置の断面図。
【図９】さらに他の実施形態に係る気中絶縁開閉装置の断面図。
【発明を実施するための形態】
【０００９】
以下、本発明の実施の形態を図面に基づき説明する。
［第１の実施の形態］
図１Ａ、図１Ｂ、図１Ｃに示すように、本実施形態の気中絶縁開閉装置（ＡＩＳ：Air Insulated Switchgear）１０は、例えば発電所や変電所に設置されている。気中絶縁開閉装置１０は、遮断器１ｂ、２ｂ、３ｂ、断路器１ｃ、２ｃ、３ｃ、及び変流器１ｄ、２ｄ、３ｄなどを開閉設備機器として備えている。
【００１０】
これらの開閉設備機器は、接続導体１ａ、２ａ、３ａ中にそれぞれ介在する状態で、当該接続導体１ａ、２ａ、３ａに各々接続されている。これらの接続導体１ａ、２ａ、３ａは、一回線分の三相交流を送電する第一相から第三相の主母線にそれぞれ接続された第１〜第３の接続母線である。前記の主母線には、例えば２７５ｋＶや５００ｋＶの交流の電力が送電される。
【００１１】
遮断器１ｂ、２ｂ、３ｂは、接続母線で短絡事故などが発生した際に速やかに電流の流れを切る一種のスイッチの機能を果たすものであり、高電圧用のものとしては、電気遮断器（ＡＢＢ：Air Blast Circuit Breaker）やガス遮断器（ＧＣＢ：Gas Circuit Breaker）などが用いられる。変流器１ｄ、２ｄ、３ｄは、接続導体１ａ、２ａ、３ａに流れる大電流を小さな値に変換して取り出し、電流値の測定などを可能にする。
【００１２】
図１Ａ、図１Ｂに示すように、断路器１ｃ、２ｃ、３ｃは、遮断器１ｂ、２ｂ、３ｂを挟んで両側に設置されている。断路器１ｃ、２ｃ、３ｃは、消弧能力がないため、遮断器１ｂ、２ｂ、３ｂによって通電が遮断された状態で、断路器本体を開放し、電力の流入を防止する。このような断路器１ｃ、２ｃ、３ｃは、電力の流入を防止した状態で、例えば遮断器１ｂ、２ｂ、３ｂを点検する際などに利用される。
【００１３】
さらに、図１Ｂ、図１Ｃに示すように、気中絶縁開閉装置１０は、導電性を有する金属などを材料とした支持部材（第１の支持部材）５、６、７を備えている。支持部材５、６、７は、第１の架台である架台１ｅ、１ｆ、１ｇと、第２の架台である架台２ｅ、２ｆ、２ｇと、第３の架台である架台３ｅ、３ｆ、３ｇと、から構成されている。
【００１４】
架台１ｅ、１ｆ、１ｇは、第１の接続母線である接続導体１ａと共に第１の開閉設備機器である遮断器１ｂ、断路器１ｃ、変流器１ｄをそれぞれ基礎８上に支持している。架台２ｅ、２ｆ、２ｇは、第２の接続母線である接続導体２ａと共に第２の開閉設備機器である遮断器２ｂ、断路器２ｃ、変流器２ｄをそれぞれ基礎８上に支持している。架台３ｅ、３ｆ、３ｇは、第３の接続母線である接続導体３ａと共に第３の開閉設備機器である遮断器３ｂ、断路器３ｃ、変流器３ｄをそれぞれ基礎８上に支持している。
【００１５】
ここで、遮断器１ｂ、断路器１ｃ及び変流器１ｄと、遮断器２ｂ、断路器２ｃ及び変流器２ｄと、遮断器３ｂ、断路器３ｃ及び変流器３ｄとは、図１Ｃに示すように、気中に露出した露出充電部１ｈ、１ｋ、１ｍと、露出充電部２ｈ、２ｋ、２ｍと、露出充電部３ｈ、３ｋ、３ｍと、をそれぞれ有している。
【００１６】
接続導体１ａ、２ａ、３ａは、図１Ｂに示すように、それぞれ水平方向に延びるように支持部材５、６、７によって支持されている。また、図１Ａに示すように、接続導体１ａ、２ａ、３ａは、所定の間隔を空けて互いに並列的に並ぶように支持部材５、６、７によって支持されている。具体的には、平面方向からみて、接続導体２ａ、３ａは、所定の間隔を空けて、接続導体１ａを両側から挟む位置に配置されている。
【００１７】
また、図１Ａに示すように、接続導体２ａ、３ａのそれぞれの外側には、メンテナンス用のスペースとしても活用される道路１１、１２が設けられている。つまり、道路１１、１２は、クレーン車などが乗り入れられて、そのクレーンを利用した遮断器や断路器などに対するメンテナンスを可能にする。
【００１８】
ここで、気中絶縁開閉装置１０が電力機器として備えた開閉設備機器、及び接続導体のレイアウトについて詳述する。すなわち、遮断器１ｂ、断路器１ｃ及び変流器１ｄは、接続導体１ａに接続されている。さらに、遮断器２ｂ、断路器２ｃ及び変流器２ｄと、遮断器３ｂ、断路器３ｃ及び変流器３ｄとは、間隔を空けて接続導体１ａにそれぞれ隣り合う接続導体２ａ及び接続導体３ａに各々接続されている。
【００１９】
支持部材５、６、７は、図１Ｃに示すように、遮断器１ｂ、断路器１ｃ、変流器１ｄの露出充電部１ｈ、１ｋ、１ｍ及び接続導体１ａの設置高さに対して、遮断器２ｂ、断路器２ｃ、変流器２ｄ、遮断器３ｂ、断路器３ｃ、変流器３ｄの各露出充電部２ｈ、２ｋ、２ｍ、３ｈ、３ｋ、３ｍ並びに接続導体２ａ、３ａの設置高さを、異ならせるようにして、これらの開閉設備機器及び接続導体１ａ、２ａ、３ａをそれぞれ支持している。
【００２０】
より具体的には、支持部材５、６、７は、図１Ｃに示すように、個々の開閉設備機器の各露出充電部どうしの間隔及び各接続導体どうしの間隔を、これらの線間（相間）電圧に対応した線間絶縁離隔距離Ｔ以上に離間させる状態でこれらの開閉設備機器及び接続導体を支持している。さらに、支持部材５、６、７は、地上である基礎８上に設けた支持部材本体（各架台）と各露出充電部との間隔、及び当該支持部材本体と各接続導体との間隔を、これらの対地電圧に対応した対地絶縁離隔距離Ｓ以上に離間させた状態で、これらの開閉設備機器及び母線を支持している。
【００２１】
主母線及び接続導体には、１２０°ずつ位相をずらした三相の交流が通電されるため、線間絶縁離隔距離Ｔは、対地絶縁離隔距離Ｓよりも長い距離を確保する必要がある。具体的には、線間絶縁離隔距離Ｔは、対地絶縁離隔距離Ｓに対して√３を乗算した離隔距離を必要とする。例えば２７５ｋＶの三相交流が主母線に送電される場合、線間絶縁離隔距離Ｔとしては、例えば５．５ｍの離隔距離を空けることが例示され、また、５００ｋＶの三相交流が主母線に送電される場合、線間絶縁離隔距離Ｔとしては、例えば９ｍの離隔距離を空けることが例示される。
【００２２】
開閉設備機器及び接続導体のレイアウトについてより詳細に説明すると、支持部材５、６、７は、図１Ｃに示すように、遮断器１ｂ、断路器１ｃ、変流器１ｄの露出充電部１ｈ、１ｋ、１ｍ及び接続導体１ａの設置高さに対して、遮断器２ｂ、断路器２ｃ、変流器２ｄの露出充電部２ｈ、２ｋ、２ｍ及び接続導体２ａの設置高さが相対的に低くなるようにして、これらの開閉設備機器及び接続導体をそれぞれ支持している。さらに、支持部材５、６、７は、遮断器１ｂ、断路器１ｃ、変流器１ｄの露出充電部１ｈ、１ｋ、１ｍ及び接続導体１ａの設置高さに対して、遮断器３ｂ、断路器３ｃ、変流器３ｄの露出充電部３ｈ、３ｋ、３ｍ及び接続導体３ａの設置高さが相対的に高くなるようにして、これらの開閉設備機器及び接続導体をそれぞれ支持している。
【００２３】
具体的には、図１Ｃに示すように、各開閉設備機器及び各接続導体は、基礎８の上面に対して互いが傾斜する配置関係で据え付けられている。つまり、気中絶縁開閉装置１０では、線間絶縁離隔距離Ｔ及び対地絶縁離隔距離Ｓを確保するために、高さ方向の空間を有効に利用し、図１Ｃに示すように、各開閉設備機器及び各接続導体を立体的に配置することにより、図１Ａ、図１Ｃに示すように、平面方向における設置スペース９の縮小化を実現している。
【００２４】
ここで、比較例について説明する。図２Ａ、図２Ｂ、図２Ｃに示すように、比較例の気中絶縁開閉装置９０は、架台１ｎ、２ｎ、３ｎによって構成される支持部材９５と、架台１ｒ、２ｒ、３ｒによって構成される支持部材９６と、架台１ｕ、２ｕ、３ｕによって構成される支持部材９７とを備えている。支持部材９５、９６、９７は、図２Ｂ、図２Ｃに示すように、遮断器１ｂ、２ｂ、３ｂ、断路器１ｃ、２ｃ、３ｃ、及び変流器１ｄ、２ｄ、３ｄの露出充電部１ｈ、２ｈ、３ｈ、１ｋ、２ｋ、３ｋ、１ｍ、２ｍ、３ｍ、並びに接続導体１ａ、２ａ、３ａのそれぞれの設置高さを、互いに同じ高さにするようにして、これらの開閉設備機器及び接続導体１ａ、２ａ、３ａをそれぞれ支持している。
【００２５】
比較例の気中絶縁開閉装置９０は、図２Ｃに示すように、線間絶縁離隔距離Ｔ及び対地絶縁離隔距離Ｓを確保するために、基礎８の上面と平行な同一平面に沿って、各開閉設備機器及び各接続導体がそれぞれ水平方向に広がる形態で設置されている。したがって、比較例の気中絶縁開閉装置９０は、全体的に広い設置スペース９９が必要となり、この結果、用地費用の増加や整地のための工期の長期化を招くことになる。
【００２６】
これに対して、本実施形態の気中絶縁開閉装置１０は、図１Ｃに示すように、隣り合う接続導体どうしの設置高さ、及び各接続導体が並ぶ方向において隣り合う開閉設備機器の露出充電部どうしの設置高さを変えることによって、高さ方向の空間を有効に活用し線間絶縁離隔距離Ｔ及び対地絶縁離隔距離Ｓを確保することができる。これによって、気中絶縁開閉装置１０における設置スペースの縮小化を図ることができる。
【００２７】
既述したように、本実施形態の気中絶縁開閉装置１０によれば、図１Ｃに示すように、遮断器１ｂ、２ｂ、３ｂなどを含む各開閉設備機器及び接続導体１ａ、２ａ、３ａを合理的に配置したことで、設置スペース９を狭めることが可能となり、これにより、整地のための工期を短縮でき、また、用地費用を低減させることができる。
【００２８】
［第２の実施の形態］
次に、第２の実施形態を図３Ａ、図３Ｂ、図３Ｃに基づき説明する。なお、図３Ａ、図３Ｂ、図３Ｃにおいて、図１Ａ、図１Ｂ、図１Ｃに示した第１の実施形態の構成要素と同一の構成要素については、同一の符号を付与し重複する説明を省略する。
【００２９】
図３Ａ、図３Ｂ、図３Ｃに示すように、本実施形態の気中絶縁開閉装置２０は、第１の実施形態の気中絶縁開閉装置１０が備えていた支持部材５、６、７に代えて、支持部材２５、２６、２７を備えている。支持部材２５、２６、２７は、支持部材５、６、７が備えていた架台３ｅ、３ｆ、３ｇに代えて、架台２３ｅ、２３ｆ、２３ｇを備えている。
【００３０】
支持部材２５、２６、２７は、遮断器１ｂ、断路器１ｃ、変流器１ｄの露出充電部１ｈ、１ｋ、１ｍ及び接続導体１ａの設置高さよりも、遮断器２ｂ、３ｂ、断路器２ｃ、３ｃ、変流器２ｄ、３ｄの各露出充電部２ｈ、２ｋ、２ｍ、３ｈ、３ｋ、３ｍ並びに接続導体２ａ、３ａの設置高さのほうが、相対的に低くなるようにして、これらの開閉設備機器及び接続導体を、図３Ｃに示すように、高さ方向の空間を利用して立体的に支持している。
【００３１】
したがって、本実施形態の気中絶縁開閉装置２０によれば、図３Ｃに示すように、第１の実施形態と同様、各開閉設備機器及び各接続導体を合理的に配置したことで、設置スペース９の縮小化を図ることができる。これにより、用地の費用や整地のための労力を削減することができる。また、気中絶縁開閉装置２０によれば、図３Ｃに示すように、第１の実施形態と比べて、高さの低い架台２３ｅ、２３ｆ、２３ｇを適用できるので、架台自体の部品コストや各機器の設置のための労力を軽減することができる。
【００３２】
なお、架台２３ｅ、２３ｆ、２３ｇは、架台２ｅ、２ｆ、２ｇとそれぞれ同じ高さで構成されており、遮断器２ｂ、断路器２ｃ、変流器２ｄの露出充電部２ｈ、２ｋ、２ｍ及び接続導体２ａの設置高さと同じ設置高で、遮断器３ｂ、断路器３ｃ、変流器３ｄの露出充電部３ｈ、３ｋ、３ｍ及び接続導体３ａを支持している。つまり、架台２３ｅと架台２ｅ、架台２３ｆと架台２ｆ、及び架台２３ｇと架台２ｇは、それぞれ同じ構成の部品を適用することができる。
【００３３】
［第３の実施の形態］
次に、第３の実施形態を図４Ａ、図４Ｂ、図４Ｃに基づき説明する。なお、図４Ａ、図４Ｂ、図４Ｃにおいて、図１Ａ、図１Ｂ、図１Ｃに示した第１の実施形態の構成要素と同一の構成要素については、同一の符号を付与し重複する説明を省略する。
【００３４】
図４Ａ、図４Ｂ、図４Ｃに示すように、本実施形態の気中絶縁開閉装置３０は、第１の実施形態の気中絶縁開閉装置１０が備えていた支持部材５、６、７に代えて、支持部材３５、３６、３７を備えている。支持部材３５、３６、３７は、支持部材５、６、７が備えていた架台１ｅ、１ｆ、１ｇ、２ｅ、２ｆ、２ｇ、３ｅ、３ｆ、３ｇに代えて、架台３１ｅ、３１ｆ、３１ｇ、３２ｅ、３２ｆ、３２ｇ、３３ｅ、３３ｆ、３３ｇを備えている。
【００３５】
支持部材３５、３６、３７は、遮断器１ｂ、断路器１ｃ、変流器１ｄの露出充電部１ｈ、１ｋ、１ｍ及び接続導体１ａの設置高さよりも、遮断器２ｂ、３ｂ、断路器２ｃ、３ｃ、変流器２ｄ、３ｄの各露出充電部２ｈ、２ｋ、２ｍ、３ｈ、３ｋ、３ｍ並びに接続導体２ａ、３ａの設置高さのほうが、相対的に高くなるようにして、これらの開閉設備機器及び接続導体を、図４Ｃに示すように、高さ方向の空間を利用して立体的に支持している。
【００３６】
したがって、本実施形態の気中絶縁開閉装置３０によれば、第１、第２の実施形態と同様、各開閉設備機器及び各接続導体を、図４Ｃに示すように、高さ方向の空間を利用して立体的に配置したことで、設置スペース９の縮小化を図ることができ、各機器を設置するためのコストを低減することができる。また、気中絶縁開閉装置３０では、図４Ｃに示すように、道路１１、１２に近い側の開閉設備機器の露出充電部２ｈ、２ｋ、２ｍ、３ｈ、３ｋ、３ｍ及び接続導体２ａ、３ａが高い位置に設置されていることで、道路１１、１２に対しては十分な絶縁離隔距離が確保され、これにより、例えば道路１１、１２上で作業する作業者などに対する安全性を高めることができる。
【００３７】
なお、架台３３ｅ、３３ｆ、３３ｇは、架台３２ｅ、３２ｆ、３２ｇとそれぞれ同じ高さで構成されており、遮断器２ｂ、断路器２ｃ、変流器２ｄの露出充電部２ｈ、２ｋ、２ｍ及び接続導体２ａの設置高さと同じ設置高で、遮断器３ｂ、断路器３ｃ、変流器３ｄの露出充電部３ｈ、３ｋ、３ｍ及び接続導体３ａを支持している。すなわち、架台３３ｅと架台３２ｅ、架台３３ｆと架台３２ｆ、及び架台３３ｇと架台３２ｇは、それぞれ同じ構成の部品を適用することが可能である。
【００３８】
［第４の実施の形態］
次に、第４の実施形態を図５Ａ、図５Ｂに基づき説明する。なお、図５Ａ、図５Ｂにおいて、図１Ａ、図１Ｂ、図１Ｃに示した第１の実施形態の構成要素と同一の構成要素については、同一の符号を付与し重複する説明を省略する。
【００３９】
図５Ａ、図５Ｂに示すように、本実施形態の気中絶縁開閉装置４０は、第１の実施形態に係る気中絶縁開閉装置１０の構成に加え、第４の開閉設備機器である遮断器４ｂ、断路器４ｃ及び変流器４ｄと、第５の開閉設備機器である遮断器５ｂ、断路器５ｃ及び変流器５ｄと、第６の開閉設備機器である遮断器６ｂ、断路器６ｃ及び変流器６ｄと、第２の支持部材である支持部材４５、４６、４７と、をさらに備えている。
【００４０】
図５Ａ、図５Ｂに示すように、遮断器４ｂ、断路器４ｃ及び変流器４ｄは、第４の接続母線である接続導体４ａに接続されている。また、遮断器５ｂ、断路器５ｃ及び変流器５ｄは、間隔を空けて接続導体４ａと隣り合う第５の接続母線である接続導体５ａに接続されている。さらに、遮断器６ｂ、断路器６ｃ及び変流器６ｄは、間隔を空けて接続導体３ａ及び接続導体４ａそれぞれと隣り合う第６の接続母線である接続導体６ａに接続されている。
【００４１】
接続導体４ａ、５ａ、６ａは、一回線分の三相交流を送電する第一相から第三相の主母線にそれぞれ接続された接続母線である。すなわち、図５Ａ、図５Ｂは、接続導体１ａ、２ａ、３ａからなる第１の回線と、接続導体４ａ、５ａ、６ａからなる第２の回線が並列して設けられている例を示している。
【００４２】
架台４ｅを含む支持部材４５は、接続導体４ａと共に遮断器４ｂ、断路器４ｃ、変流器４ｄをそれぞれ基礎８上に支持している。架台５ｅを含む支持部材４６は、接続導体５ａと共に遮断器５ｂ、断路器５ｃ及び変流器５ｄをそれぞれ基礎８上に支持している。架台６ｅを含む支持部材４７は、接続導体６ａと共に遮断器６ｂ、断路器６ｃ及び変流器６ｄをそれぞれ基礎８上に支持している。詳細には、図５Ｂに示すように、架台４ｅ、５ｅ、６ｅを含む支持部材４５、４６、４７は、架台１ｅ、２ｅ、３ｅを含む支持部材５、６、７に対していわゆる線対称の関係を成す構成を有している。
【００４３】
さらに、これらの支持部材４５、４６、４７は、図５Ｂに示すように、遮断器４ｂ、断路器４ｃ、変流器４ｄの露出充電部４ｈ、４ｋ、４ｍ及び接続導体４ａの設置高さに対して、遮断器５ｂ、断路器４ｃ、変流器４ｄの各露出充電部５ｈ、５ｋ、５ｍ、６ｈ、６ｋ、６ｍ及び接続導体５ａ、６ａの設置高さを、異ならせるようにしてこれらの開閉設備機器及び接続導体を支持している。
【００４４】
より具体的には、支持部材４５、４６、４７は、図５Ｂに示すように、遮断器４ｂ、断路器４ｃ、変流器４ｄの露出充電部４ｈ、４ｋ、４ｍ及び接続導体４ａの設置高さに対して、遮断器５ｂ、断路器５ｃ、変流器５ｄの露出充電部５ｈ、５ｋ、５ｍ及び接続導体５ａの設置高さが相対的に低くなるようにして、これらの開閉設備機器及び接続導体をそれぞれ支持している。また、支持部材４５、４６、４７は、遮断器４ｂ、断路器４ｃ、変流器４ｄの露出充電部４ｈ、４ｋ、４ｍ及び接続導体４ａの設置高さに対して、遮断器６ｂ、断路器６ｃ、変流器６ｄの露出充電部６ｈ、６ｋ、６ｍ及び接続導体６ａの設置高さが相対的に高くなるようにして、これらの開閉設備機器及び接続導体をそれぞれ支持している。
【００４５】
さらに、支持部材４５、４６、４７は、図５Ｂに示すように、露出充電部３ｈ、３ｋ、３ｍと、露出充電部４ｈ、４ｋ、４ｍと、露出充電部５ｈ、５ｋ、５ｍと、露出充電部６ｈ、６ｋ、６ｍと、の互いの間隔、並びに接続導体３ａ、４ａ、５ａ、６ａどうしの間隔を、これらの線間電圧に対応した線間絶縁離隔距離Ｔ以上に離間させた状態で、遮断器や断路器を含む個々の開閉設備機器及び接続導体４ａ、５ａ、６ａを各々支持している。
【００４６】
また、支持部材４５、４６、４７は、図５Ｂに示すように、当該支持部材本体と上記の各露出充電部との間隔、及び当該支持部材本体と接続導体３ａ、４ａ、５ａ、６ａとの間隔を、これらの対地電圧に対応した対地絶縁離隔距離Ｓ以上に離間させた状態で、個々の開閉設備機器及び接続導体４ａ、５ａ、６ａを各々支持している。
【００４７】
したがって、本実施形態の気中絶縁開閉装置４０によれば、三相交流送電用の二回線分の各開閉設備機器及び各接続導体を、図５Ｂに示すように、高さ方向の空間を利用して立体的に配置したことで、二回線分の各設置スペース９の縮小化を図ることができる。
【００４８】
［第５の実施の形態］
次に、第５の実施形態を図６に基づき説明する。なお、図６において、図３Ａ、図３Ｂ、図３ｃに示した第２の実施形態及び図５Ａ、図５Ｂに示した第４の実施形態の各構成要素と、同一の構成要素については、同一の符号を付与し重複する説明を省略する。
【００４９】
図６に示すように、本実施形態の気中絶縁開閉装置５０は、第４の実施形態に係る気中絶縁開閉装置４０の支持部材４５、４６、４７に代えて、架台５４ｅ、５５ｅ、５６ｅを含む支持部材５５、５６、５７を第２の支持部材として備えている。図６に示すように、支持部材５５、５６、５７は、図３Ｃに示した支持部材２５、２６、２７と同一の構造で構成されている。つまり、本実施形態の気中絶縁開閉装置５０は、図３Ｃに示した支持部材２５、２６、２７と、これらと同一構造の支持部材５５、５６、５７と、を互いの間の線間絶縁離隔距離Ｔを確保した状態で、接続導体どうしが隣り合う方向に並べて配置した構成を有している。
【００５０】
したがって、本実施形態の気中絶縁開閉装置５０によれば、第４の実施形態と同様、三相交流送電用の二回線分の各開閉設備機器及び各接続導体を、図６に示すように、高さ方向の空間を利用して立体的に配置したことで、二回線分の個々の設置スペース９を狭めることができる。
【００５１】
［第６の実施の形態］
次に、第６の実施形態を図７に基づき説明する。なお、図７において、図４Ａ、図４Ｂ、図４ｃに示した第３の実施形態及び図６に示した第５の実施形態の各構成要素と、同一の構成要素については、同一の符号を付与し重複する説明を省略する。
【００５２】
図７に示すように、本実施形態の気中絶縁開閉装置６０は、第５の実施形態に係る気中絶縁開閉装置５０の支持部材５５、５６、５７に代えて、架台６４ｅ、６５ｅ、６６ｅを含む支持部材６５、６６、６７を第２の支持部材として備えている。図７に示すように、支持部材６５、６６、６７は、図４Ｃに示した支持部材２５、２６、２７と同一の構造で構成されている。すなわち、本実施形態の気中絶縁開閉装置６０は、図４Ｃに示した支持部材５５、５６、５７と同一の構造の支持部材６５、６６、６７と、図３Ｃに示した支持部材２５、２６、２７と、を接続導体どうしが隣り合う方向に並べて配置した構成を有している。
【００５３】
さらに詳述すると、支持部材６５、６６、６７は、図７に示すように、前述した第３の開閉設備機器（遮断器３ｂ、断路器３ｃ、変流器３ｄ）の露出充電部３ｈ、３ｋ、３ｍ及び前記接続導体３ａの設置高さに対して、前述した第６の開閉設備機器（遮断器６ｂ、断路器６ｃ、変流器６ｄ）の露出充電部６ｈ、６ｋ、６ｍ及び接続導体６ａの設置高さを、異ならせるようにして、各開閉設備機器及び各接続導体を支持している。
【００５４】
このように、本実施形態の気中絶縁開閉装置６０では、支持部材２５、２６、２７と支持部材６５、６６、６７との境界部分である接続導体３ａと接続導体６ａとの間の配置関係においても、互いの設置高さを相違させ、平面方向の設置スペースを狭めるようにしている。したがって、気中絶縁開閉装置６０によれば、第４、第５の実施形態と比べ、二回線分の設置スペースを、より縮小することができる。
【００５５】
［第７の実施の形態］
次に、第７の実施形態を図８に基づき説明する。なお、図８において、図５Ｂに示した第４の実施形態の構成要素と同一の構成要素については、同一の符号を付与し重複する説明を省略する。
【００５６】
図８に示すように、本実施形態の気中絶縁開閉装置７０は、第４の実施形態に係る気中絶縁開閉装置４０の支持部材４５、４６、４７に代えて、架台７４ｅ、７５ｅ、７６ｅを含む支持部材７５、７６、７７を第２の支持部材として備えている。図８に示すように、支持部材７５、７６、７７は、図１Ｃに示した支持部材５、６、７と同一の構造で構成されている。つまり、本実施形態の気中絶縁開閉装置７０は、図１Ｃに示した支持部材５、６、７と、これらと同一構造の支持部材７５、７６、７７と、を接続導体どうしが隣り合う方向に並べて配置した構成を有している。
【００５７】
したがって、本実施形態の気中絶縁開閉装置７０によれば、第６の実施形態と同様に、支持部材５、６、７と支持部材７５、７６、７７との境界部分である接続導体３ａと接続導体６ａとの間の配置関係においても、互いの設置高さを相違させているので、二回線分の設置スペースを、図７に示した気中絶縁開閉装置６０と同様に狭めることができる。
【００５８】
以上、本発明のいくつかの実施形態を説明したが、これらの実施形態は、例として提示したものであり、発明の範囲を限定することは意図していない。これら新規な実施形態は、その他の様々な形態で実施することが可能であり、発明の要旨を逸脱しない範囲で、種々の省略、置き換え、変更を行うことができる。これらの実施形態やその変形例は、発明の範囲や要旨に含まれると共に、特許請求の範囲に記載された発明とその均等の範囲に含まれる。
【００５９】
また、上述した実施形態では、開閉設備機器として、遮断器、断路器、変流器を例示したが、開閉設備機器は、計器用の変圧器や変成器などを含むものであってもよい。さらに、図９に示すように、架台８１ｅ、８２ｅ、８３ｅを含む支持部材８５、８６、８７を備えた気中絶縁開閉装置８０を他の実施形態として適用することも可能である。この気中絶縁開閉装置８０は、図１Ｃに示した気中絶縁開閉装置１０と同様、各接続導体及び開閉設備機器の各露出充電部が互いに異なる設置高さで配置され、しかも、架台８１ｅ、８２ｅ、８３ｅを含む支持部材８５、８６、８７が、傾斜面８８上に設けられている。したがって、このような気中絶縁開閉装置８０を適用した場合、用地が傾斜面であっても、整地する必要がなくなり、用地費用を低減することができる。
【符号の説明】
【００６０】
１０〜８０…気中絶縁開閉装置、１ａ〜６ａ…接続導体、１ｂ〜６ｂ…遮断器、１ｃ〜６ｃ…断路器、１ｄ〜６ｄ…変流器、５〜７，２５〜２７，３５〜３７，４５〜４７，５５〜５７，６５〜６７，７５〜７７，８５〜８７…支持部材、１ｅ〜６ｅ，２３ｅ，３１ｅ〜３３ｅ，５４ｅ〜５６ｅ，６４ｅ〜６６ｅ，７４ｅ〜７７６ｅ，８１ｅ〜８３ｅ，１ｆ〜３ｆ，２３ｆ，３１ｆ〜３３ｆ，１ｇ〜３ｇ，２３ｇ，３１ｇ〜３３ｇ…架台、１ｈ〜６ｈ，１ｋ〜６ｋ，１ｍ〜６ｍ…露出充電部、Ｔ…線間絶縁離隔距離、Ｓ…対地絶縁離隔距離。
【図１Ａ】
2013171707.tif 000003
【図１Ｂ】
2013171707.tif 000004
【図１Ｃ】
2013171707.tif 000005
【図２Ａ】
2013171707.tif 000006
【図２Ｂ】
2013171707.tif 000007
【図２Ｃ】
2013171707.tif 000008
【図３Ａ】
2013171707.tif 000009
【図３Ｂ】
2013171707.tif 000010
【図３Ｃ】
2013171707.tif 000011
【図４Ａ】
2013171707.tif 000012
【図４Ｂ】
2013171707.tif 000013
【図４Ｃ】
2013171707.tif 000014
【図５Ａ】
2013171707.tif 000015
【図５Ｂ】
2013171707.tif 000016
【図６】
2013171707.tif 000017
【図７】
2013171707.tif 000018
【図８】
2013171707.tif 000019
【図９】
2013171707.tif 000020